(57)【要約】【課題】体力が弱い女性などでも快適に給油作業ができ、油の飛沫で衣服を汚すことがなく、油のベーパの体内への吸引を極力防止できる給油装置を提供する。【解決手段】給油管３にポンプ４及び流量計５を介装し、給油管３に接続された給油ホース７の先端に給油ノズル８を設け、給油ノズル８に設けた液面センサ２４の満タン信号を受けて給油終了とする給油制御装置３１を設けた給油装置１において、前記給油ホース７はバランス装置１０により引上げ付勢されている。【選択図】図１
2008285191.tif 000002
【特許請求の範囲】
【請求項１】
給油管にポンプ及び流量計を介装し、給油管に接続された給油ホースの先端に給油ノズルを設け、給油ノズルに設けた液面センサの満タン信号を受けて給油終了とする給油制御装置を設けた給油装置において、前記給油ホースはバランス装置により引上げ付勢されていることを特徴とする給油装置。
【請求項２】
前記給油ノズルには人体センサが設けられ、前記給油制御装置は人体センサが人体を検知したときのオン信号を受けて給油を停止する請求項１に記載の給油装置。
【請求項３】
前記給油ノズルの吐出管には透明のスプラッシュガードが設けられ、スプラッシュガードの前面には吸盤が設けられている請求項１又は２に記載の給油装置。
【発明の詳細な説明】
【技術分野】
【０００１】
本発明は、自動車へ燃料油を給油する給油装置で、特に顧客自身が給油をするセルフサービスの給油所で有効に機能する給油装置に関する。
【背景技術】
【０００２】
給油所の作業員ではなく、顧客自身が給油をするセルフサービスの給油所が普及しつつある。セルフサービスの給油所では顧客自身が給油をするため、体力が弱い女性などでは、給油ノズルを車の給油口へ挿入するまでの作業に負担を感じる場合がある。また、給油中に給油口から飛び出る油の飛沫で顧客の衣服を汚したり、放出される油のベーパの匂いに不快を感じたり、油のベーパを体内へ吸引して健康を害する虞がある。
【０００３】
特許文献に示すように、セルフサービス用の給油装置は色々考えられているが、顧客自身による給油作業を快適にすることに対して満足できるものがない。
【特許文献１】特開２０００−７９９９７号
【特許文献２】特開２００１−２１３２８６号
【特許文献３】特開２００２−１９３３９９号
【発明の開示】
【発明が解決しようとする課題】
【０００４】
本発明は上記に鑑みてなされたもので、体力が弱い女性などでも快適に給油作業ができ、油の飛沫で衣服を汚すことがなく、油のベーパの体内への吸引が極力防止できる給油装置を提供することを目的としている。
【課題を解決するための手段】
【０００５】
本発明は、給油管３にポンプ４及び流量計５を介装し、給油管３に接続された給油ホース７の先端に給油ノズル８を設け、給油ノズル８に設けた液面センサ２４の満タン信号を受けて給油終了とする給油制御装置３１を設けた給油装置１において、前記給油ホース７はバランス装置１０により引上げ付勢されている。
【０００６】
そして、前記給油ノズル８には人体センサ２０が設けられ、前記給油制御装置３１は人体センサ２０が人体を検知したときのオン信号を受けて給油を停止するようになっている。
また、前記給油ノズル８の吐出管２１には透明のスプラッシュガード２８が設けられ、スプラッシュガード２８の前面には吸盤２９が設けられている。
【発明の効果】
【０００７】
本発明によれば、下記のすぐれた効果を奏する。
（１）  給油ホースがバランス装置により引上げ付勢されているので、給油ホース及び給油ノズルの負荷を殆ど感じることがなく、快適に給油作業をすることができる。
（２）  給油者が給油ノズルに近づいて人体センサが検知すると給油停止となるので、油の飛沫が給油者へ掛かって衣服を汚すことがなく、油のベーパの体内への吸引を極力防止できる。
（３）  給油ノズルに設けたスプラッシュガードは透明であるので、給油状態を目視することができる。
（４）  スプラッシュガードの前面には吸盤が設けられているので、吸盤を給油口に吸い付ければ、給油ノズルから手を離しても安定した給油ができる。
【発明を実施するための最良の形態】
【０００８】
以下、本発明の実施の形態を図に基づいて説明する。
図１は、本発明の給油装置で車へ給油をしている状態の模式図で、給油装置１の下部ハウジング２内には、図示しない貯油タンクに接続された給油管３が配設され、給油管３にはポンプ４、流量計５、及び制御弁６が介装されている。そして、給油管３には給油ホース７が接続され、給油ホース７の先端には給油ノズル８が設けられ、給油ノズル８は下部ハウジング２に設けられたノズル掛け１１に掛けられ、ノズル掛け１１にはノズルスイッチ１２が設けられている。
【０００９】
給油ホース７はバランス装置１０により引上げ付勢され、給油者に給油ノズル８の負荷を感じさせないようになっている。このバランス装置１０としては、上部ハウジング９に設けたリトラクタの紐を給油ホース７に結び、リトラクタにより給油ホース７を引上げ付勢しても、給油ホース７にコイルバネを巻き、コイルバネにより給油ホース７を引上げ付勢してもよい。
【００１０】
図２は、下部ハウジング２の上に設けられた制御装置１３の正面図で、制御装置１３には給油量等を表示する給油データ表示器１４、油種、設定給油量、及び精算等のデータを入出力する給油データ入出力器１５、給油開始を指示する給油開始スイッチ１６、給油停止を指示する給油停止スイッチ１７、及び給油の操作等を案内する報知器１８等が設けられている。
【００１１】
図３は、給油ノズル８の模式図で、給油ノズル８の本体１９には人が近くに居ることを検知してオン・オフ信号を発する人体センサ２０が設けられ、吐出管２１には車２２の給油口２３の液面を検知して満タン信号を発する液面センサ２４が設けられている。
給油ノズル８の本体１９内に設けられた弁２５はレバー２６で開閉され、レバー２６を弁開状態に保持するラッチ２７が設けられている。そして、給油ノズル８の吐出管２１には、油の飛沫の飛び出しを防止するスプラッシュガード２８が設けられている。このスプラッシュガード２８は透明な材質で作られ、前面には車２２の給油口２３に吸引する吸盤２９が設けられ、給油口２３内の油のベーパを大気中へ放出するための通気口３０が設けられている。
【００１２】
図４は、給油装置１の制御関係のブロック図で、給油制御装置３１には、ノズルスイッチ１２からオン・オフ信号が、流量計５から流量信号が、液面センサ２４から満タン信号が、人体センサ２０からオン・オフ信号が、給油開始スイッチ１６から給油開始信号が、給油停止スイッチ１７から給油停止信号が、及び給油データ入出力器１５から設定信号が入力する。そして、給油制御装置３１からは、給油データ表示器１４へ表示信号が、ポンプ４へ駆動・停止信号が、制御弁６へ開・閉信号が、報知器１８へ報知信号が、及び給油データ入出力器１５へ給油データ信号が入力している。
【００１３】
次に図５に基づいて本発明の給油装置１の動作を説明する。顧客は給油装置１の給油エリアに車２２を停車し、油種、給油量、精算方法等の給油データを給油データ入出力器１５から入力し、給油ノズル８をノズル掛け１１から外して車２２の給油口２３へ挿入し、給油ノズル８のレバー２６を引いてラッチ２７し、弁２５を開弁状態に保持する。
【００１４】
給油データ入出力器１５から入力した給油データは給油制御装置３１に設定され（ＳＴ１）、ノズル掛け１１から給油ノズル８が外されることによりノズルスイッチ１２からオン信号が給油制御装置３１に入力し（ＳＴ２）、給油データ表示器１４に表示されていた前回の給油データが帰零される（ＳＴ３）。
【００１５】
ノズル掛け１１から外した給油ノズル８を車２２の給油口２３へ移動する間、バランス装置１０により給油ホース７が引上げ付勢されているので、重さを殆ど感じさせず、力の弱い女性でも容易に操作することができる。そして、給油ノズル８を給油口２３へ挿入すると、吐出管２１に設けられたスプラッシュガード２８の吸盤２９は給油口２３に吸い付き、給油ノズル８から手を離しても安定した給油ができるようになる。また、スプラッシュガード２８は透明であるので、給油口２３内の様子を目視でき給油中の安全が確保できる。
【００１６】
次に、制御装置１３の給油開始スイッチ１６を押すと（ＳＴ４）、このときに給油者は給油ノズル８から離れていて、人体センサ２０から人体を検知していないオフ信号を発しているので（ＳＴ５）、ポンプ４が駆動され、制御弁６が開弁する（ＳＴ６）。
ポンプ４が駆動されることにより、配管内３の油は、ポンプ４、流量計５、制御弁６、及び給油ホース７を介して給油ノズル８から車２２の給油口２３内へ吐出される。そして、給油口２３内の油のベーパはスプラッシュガード２８の通気口３０から大気中へ放出される。
【００１７】
給油中に、流量計５から流量信号が入力すると（ＳＴ７）、流量信号は給油制御装置３１で計数されて給油データ表示器１４に表示される（ＳＴ８）。
給油者が給油ノズル８に近づくことなく給油が継続され（ＳＴ９）、給油ノズル８の液面センサ２４が油面を検知して満タン信号が入力すると（ＳＴ１０）、制御弁６が閉弁し、ポンプ４の駆動が停止する（ＳＴ１１）。そして、報知器１８から「給油が終わりました。給油ノズルを戻して、精算をして下さい。」と報知される（ＳＴ１２）。
【００１８】
報知を聞いて、給油ノズル８を車２２の給油口２３から抜いてノズル掛け１１に掛けると、ノズルスイッチ１２からオフ信号が給油制御装置３１へ入力し（ＳＴ１３）、精算及び給油伝票の発行等の給油終了処理が給油データ入出力器１５でおこなわれ（ＳＴ１４）、給油作業が終了する。
【００１９】
ステップＳＴ１０で、満タンになる前に給油を終了したい場合は、制御装置１３の給油停止スイッチ１７を押すと（ＳＴ１５）、制御弁６が閉弁し、ポンプ４の駆動が停止して（ＳＴ１１）、ステップＳＴ１２以下が実行される。
【００２０】
ステップＳＴ９で、給油中に給油ノズル８に近づき過ぎて人体センサ２０が人体を検知してオン信号となると（ＳＴ９）、制御弁６が閉弁し、ポンプ４の駆動が停止して給油が停止して、報知器１８から「給油ノズルから離れてください。」と報知される（ＳＴ１６）。そして、給油ノズル８から離れて、人体センサ２０がオフ信号になると（ＳＴ１７）、ポンプ６が駆動され、制御弁６が開弁して給油が再開する（ＳＴ１８）。
ステップＳＴ１７で、給油を終了したい場合は、制御装置１３の給油停止スイッチ１７を押すと（ＳＴ１９）、報知器１８から「給油が終わりました。給油ノズルを戻して、精算をして下さい。」と報知され（ＳＴ１２）、ステップＳＴ１３以下が実行される。
【００２１】
以上説明したように、この実施の形態の給油装置は、給油ノズルの近くに人が居ると給油されないので、油の跳ね出しによる人体の汚れ及び油のベーパの人体への吸引を防止することができるようになる。
【００２２】
図６のフロー図は、他の実施の形態の給油装置の動作を示すもので、給油をする顧客は、油種、給油量、精算方法等の給油データを給油データ入出力器１５から入力し（ＳＴ２１）、給油開始スイッチ１６を押し（ＳＴ２２）、給油ノズル８をノズル掛け１１から外してノズルスイッチ１２からオン信号が入力すると（ＳＴ２３）、給油データ表示器１４が帰零される（ＳＴ２４）。
【００２３】
給油ノズル８を車２２の給油口２３へ挿入し、給油ノズル８を開弁状態に保持し、給油ノズル８から離れて人体センサ２０がオフ信号となると（ＳＴ２５）、ポンプ４が駆動され、制御弁６が開弁して給油がおこなわれる（ＳＴ２６）。そして、図５に基づいて説明したステップＳＴ７以後が実行される。
【００２４】
以上説明したように、この実施の形態の給油装置でも、給油ノズルの近くに人が居ると給油されないので、油の跳ね出しによる人体の汚れ及び油のベーパの人体への吸引を防止することができる。そして、給油データの入力操作に連続して給油開始スイッチを押し、給油ノズルを車の給油口に挿入し、給油者が給油ノズルから離れると給油がおこなわれるようにしたので、給油作業がスピーディにおこなえるようになる。
【００２５】
図７のフロー図は、さらに他の実施の形態の給油装置の動作を示すもので、給油をする顧客は、油種、給油量、精算方法等の給油データを給油データ入出力器１５から入力し（ＳＴ３１）、給油ノズル８をノズル掛け１１から外してノズルスイッチ１２からオン信号が入力すると（ＳＴ３２）、給油データ表示器１４が帰零される（ＳＴ３３）。
給油ノズル８を車２２の給油口２３へ挿入し、給油ノズル８を開弁状態に保持し、給油ノズル８から離れて人体センサ２０がオフ信号となると（ＳＴ３４）、ポンプ４が駆動され、制御弁６が開弁して給油がおこなわれる（ＳＴ３５）。そして、図５に基づいて説明したステップＳＴ７以後が実行される。
【００２６】
以上説明したように、この実施の形態の給油装置でも、給油ノズルの近くに人が居ると給油されないので、油の跳ね出しによる人体の汚れ及び油のベーパの人体への吸引を防止することができる。そして、給油スイッチを押すことなく、給油ノズルを車の給油口に挿入し、給油者が給油ノズルから離れると給油がおこなわれるようにしたので、さらに給油作業がスピーディにおこなえるようになる。
【産業上の利用可能性】
【００２７】
給油の作業性が向上し、油滴の降り掛かり及び油ベーパの吸引防止が図られ、快適な給油作業のできる給油装置となり、特にセルフサービス用の給油装置として好適に実施できる。
【図面の簡単な説明】
【００２８】
【図１】本発明の給油装置の給油状態を示す模式図。
【図２】給油装置の制御装置の正面図。
【図３】給油ノズルの給油状態を示す模式図。
【図４】給油装置の制御関係のブロック図。
【図５】給油装置の制御の態様を示すフロー図。
【図６】他の実施の形態の制御の態様を示すフロー図。
【図７】さらに他の実施の形態の制御の態様を示すフロー図。
【符号の説明】
【００２９】
１・・・給油装置
２・・・下部ハウジング
３・・・給油管
４・・・ポンプ
５・・・流量計
６・・・制御弁
７・・・給油ホース
８・・・給油ノズル
９・・・上部ハウジング
１０・・・バランス装置
１１・・・ノズル掛け
１２・・・ノズルスイッチ
１３・・・制御装置
１４・・・給油データ表示器
１５・・・給油データ入出力器
１６・・・給油開始スイッチ
１７・・・給油停止スイッチ
１８・・・報知器
１９・・・本体
２０・・・人体センサ
２１・・・吐出管
２２・・・車
２３・・・給油口
２４・・・液面センサ
２５・・・弁
２６・・・レバー
２７・・・ラッチ
２８・・・スプラッシュガード
２９・・・吸盤
３０・・・通気口
３１・・・給油制御装置
【図１】
2008285191.tif 000003
【図２】
2008285191.tif 000004
【図３】
2008285191.tif 000005
【図４】
2008285191.tif 000006
【図５】
2008285191.tif 000007
【図６】
2008285191.tif 000008
【図７】
2008285191.tif 000009